(57)【要約】【課題】人工透析の患者が旅行等により通常透析を受けている施設で透析を受けられない場合に、別の地域での透析の予約を円滑できるように支援する技術を提供する。【解決手段】予約システム３０は、透析患者の透析及び宿泊の予約を受け付ける。透析／旅行予約システム５０は、透析患者を受け入れ可能な複数の透析施設の受け入れ状況を提示し、受け入れ予約をする透析施設予約部５１と、透析患者を受け入れ可能な透析施設を選択可能に表示する施設リスト表示部５２と、透析患者の旅行日程を取得する旅行日程取得部５３と、透析患者の透析スケジュールを取得する透析日程取得部５４と、透析患者の宿泊予約を行う旅行行程予約部５５と、を有する。旅行行程予約部５５は、透析患者の透析スケジュールをもとに、透析旅行案（透析計画案および旅行計画案）を提示する。【選択図】図３
2020177593.tif 000002
【特許請求の範囲】
【請求項１】
透析患者の維持透析療法及び宿泊の予約を受け付ける予約システムであって、
前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記旅行行程予約部は、
前記透析患者の透析スケジュールをもとに、透析計画と旅行案を提示することを特徴とする予約システム。
【請求項２】
前記旅行行程予約部は、希望する前記透析施設または希望透析日の指定を受けると、前記指定に合わせて利用可能な透析スケジュールを調整し、調整後の透析計画と旅行案を提示することを特徴とする請求項１に記載の予約システム。
【請求項３】
前記施設リスト表示部は、前記透析患者を受け入れ可能な透析施設を表示する際に、観光地を含めて表示することを特徴とする請求項１または２に記載の予約システム。
【請求項４】
前記旅行行程予約部は、前記透析計画と前記旅行案を提示する際に、推奨する観光地を提示することを特徴とする請求項１から３までのいずれかに記載の予約システム。
【請求項５】
前記施設リスト表示部は、前記透析施設を地図上に表示することを特徴とする請求項１から４のいずれかに記載の予約システム。
【請求項６】
前記透析施設予約部は、前記透析患者から維持透析療法の履歴に関する情報を取得し、前記透析施設に前記情報を通知し、当該透析施設から前記透析患者を受け入れ可能との通知を受けた場合に予約を確定し、受け入れ不可能との通知を受けた場合に、前記旅行行程予約部は、その透析施設を除外して新たな案を提示することを特徴とする請求項１から５までのいずれかに記載の予約システム。
【請求項７】
前記透析施設予約部は、前記透析患者から維持透析療法の前記履歴とともに他の疾患に関する情報を取得し、前記透析施設に前記他の疾患に関する情報を含めて通知することを特徴とする請求項６に記載の予約システム。
【請求項８】
前記旅行日程取得部は、前記透析患者から希望する経由地を取得し、
前記施設リスト表示部は、前記経由地にもとづき前記透析施設を提示することを特徴とする請求項１から７までのいずれかに記載の予約システム。
【請求項９】
前記透析施設予約部は、予約した前記透析患者が透析施設を利用しなかった場合、前記透析患者に対して現在位置を要求し、現在位置が得られた場合に、その現在位置から所定範囲にある受け入れ可能な透析施設を通知することを特徴とする請求項１から８までのいずれかに記載の予約システム。
【請求項１０】
前記透析患者は、海外からの入国し維持透析療法及び旅行を希望する者であって、
前記旅行日程取得部は、入国直前及び出国直後の透析予定、入出国日程を取得し、
前記旅行行程予約部は、前記透析予定及び入出国日程を、前記透析計画と前記旅行案に反映させることを特徴とする請求項１から９までのいずれかに記載の予約システム。
【発明の詳細な説明】
【技術分野】
【０００１】
本発明は、人工透析を受ける患者の維持透析療法及び宿泊の予約を受け付ける予約システムに関する。
【背景技術】
【０００２】
血液透析の維持透析療法（以下、単に「人工透析」ともいう）を行っている患者（以下、「透析患者」ともいう）が旅行や出張で遠方へ出かける場合、事前に受け入れ可能な透析施設を探し、透析予約をする必要がある。そのような透析患者を支援する技術として、透析施設を登録したデータベースを構築し、指定された地域において患者を受入れることができる施設のリストを通知する技術がある（例えば、特許文献１参照）。
【先行技術文献】
【特許文献】
【０００３】
【特許文献１】特開２００２−１５００１８号公報
【発明の概要】
【発明が解決しようとする課題】
【０００４】
人工透析の患者が例えば１週間以上の日程で旅行して複数箇所で滞在するような場合、いくつかの滞在箇所でその滞在スケジュールで受け入れ可能な透析施設を見つける必要がある。ある滞在地で受け入れ可能であっても、残りの滞在地で受け入れ不可能であると、全てのスケジュールを見直す必要があり、特許文献１に開示の技術では対応できず、別の技術が必要とされていた。特に、海外から日本へ旅行する患者の場合、言葉の壁があり、スケジュールの再調整を考慮すると、非常にハードルが高くなると言う課題があった。
【０００５】
本発明は、以上のような状況に鑑みなされたもので、その目的は、人工透析の患者が旅行等により通常人工透析を受けている施設で人工透析を受けられない場合に、旅行先等での人工透析の予約を円滑できるように支援する技術を提供することにある。
【課題を解決するための手段】
【０００６】
（１）本発明は、透析患者の維持透析療法及び宿泊の予約を受け付ける予約システムであって、
前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記旅行行程予約部は、
前記透析患者の透析スケジュールをもとに、透析計画と旅行案（透析旅行案）を提示する。
例えば、当該予約システムは、所定のＷＥＢサイトで透析患者向けの透析旅行のアレンジを支援する。具体的には、人工透析の患者が旅行を希望する場合に、患者（または代理人等）は予約システムによるＷＥＢサイトにアクセスし、旅行の開始日、終了日、開始地点、終了地点、旅行前後の透析予定を入力する。また、旅行期間中に希望する透析回数でもよい。予約システムは、入力された予定から、その予定に合致する透析可能施設、宿泊施設の案を提示する。なお、当該予約システムを利用する者として人工透析の患者を想定するが、その患者の代わりに予約を行う家族や代理人、旅行コーディネータも当然に該当し、以下、それらの者も含めて「透析患者」として説明する。透析可能施設は、一般には透析病院等の医療機関を想定するが、宿泊施設に透析機器を設置して所定の医療従事者が人工透析を行う場合も含む。人工透析が完了すると、行った人工透析の内容がシステムに蓄積され、次の透析施設で参照可能となる。また、透析患者がいる家族は、家族全員での旅行が難しかった。しかし、当該予約システムを用いることで、透析患者を含め家族全員の宿泊予約・変更も容易となり、海外旅行も含め長期の家族旅行への敷居が大幅に低下する。
【０００７】
（２）前記旅行行程予約部は、希望する前記透析施設または希望透析日の指定を受けると、前記指定に合わせて利用可能な透析スケジュールを調整し、調整後の透析計画と旅行案を提示してもよい。
患者側で希望の透析施設や透析の日時に具体的な希望があれば、その指定を受けてスケジュールの調整を行う。スケジュール変更を希望する場合は、地図上のアイコン等を選択し、そのアイコンに関連づけられた透析施設や宿泊施設を別のものに変更したり、日時を変更したりする。
【０００８】
（３）前記施設リスト表示部は、前記透析患者を受け入れ可能な透析施設を表示する際に、観光地を含めて表示してもよい。
患者は、希望する観光地を検討しながら透析施設を選ぶことができる。
【０００９】
（４）前記旅行行程予約部は、前記透析計画と前記旅行案を提示する際に、推奨する観光地を提示してもよい。
透析施設を提示する際に、その施設から近い観光地の情報を得ることができ、提案を了承する際の助けとなる。
【００１０】
（５）前記施設リスト表示部は、前記透析施設を地図上に表示してもよい。
例えば、地図上にアイコンで表示し、患者から希望の透析施設のアイコンを操作してもらい、決定する。指やマウス操作でアイコンが選択されると、具体的な施設名や透析可能時間帯、透析機器等の情報がポップアップ表示される。このとき、地図上に近隣の観光地を示し、患者が所望の観光地をタップ等すると、詳細な観光地の情報が表示されて、観光地と透析施設の情報が同一画面上で確認できる。
【００１１】
（６）前記透析施設予約部は、前記透析患者から維持透析療法の履歴（単に「透析履歴」ともいう）に関する情報を取得し、前記透析施設に前記情報を通知し、当該透析施設から前記透析患者を受け入れ可能との通知を受けた場合に予約を確定し、受け入れ不可能との通知を受けた場合に、前記旅行行程予約部は、その透析施設を除外して新たな案を提示してもよい。
まず、透析患者の操作によってスケジュールが決まった場合、仮予約の状態になり、透析患者から透析履歴に関する情報（またはその情報にアクセスするコード、ＵＲＬ等）が選択した透析施設に送信され、その透析施設の医師によって確認されて初めて受け入れ許可の返信を受けると、正式な予約となる。受け入れ不可能な透析施設があった場合には、その施設を除外して、再度透析患者へ提案する。このとき、透析患者の了解を事前に受け、透析履歴の情報を他の透析施設へ展開し、予め受け入れ可能かを確認してもよい。
【００１２】
（７）前記透析施設予約部は、前記透析患者から維持透析療法の前記履歴とともに他の疾患に関する情報を取得し、前記透析施設に前記他の疾患に関する情報を含めて通知してもよい。
透析患者が他の疾患を抱えている場合に、旅行先の透析施設で対応が難しい場合もある。そこで、事前に他の疾患に関する情報（例えば治療履歴が記載された電子カルテ等）を候補となる透析施設に送り、受け入れ可能の確認を行ってから予約確定とする。
【００１３】
（８）前記旅行日程取得部は、前記透析患者から希望する経由地（例えば、観光地、宿泊場所）を取得し、
前記施設リスト表示部は、前記経由地にもとづき前記透析施設を提示してもよい。
透析旅行案を作成する際に、希望の観光地、宿泊場所を指定してもらい、その指定にもとづき、透析施設、透析日時をアレンジして透析患者側に案を提示する。これを画面の地図上にアイコン等で表示し、透析患者からの変更を受け付ける。
【００１４】
（９）前記透析施設予約部は、予約した前記透析患者が透析施設を利用しなかった場合、前記透析患者に対して現在位置を要求し、現在位置が得られた場合に、その現在位置から所定範囲にある受け入れ可能な透析施設を通知してもよい。
道を迷ったり交通機関の遅延等の原因で、予定した透析施設に辿り着けなかったり、予定を徒過して透析を受けられなかった場合も想定できる。この場合、予定していた透析施設から透析患者が透析を受けなかった旨の通知を受けると、透析患者のメールアドレスや電話に状況確認の通知がなされる。このとき、透析患者の携帯端末等のＧＰＳ機能で位置情報を送ってもらい、予約していた施設に近い場合は、早急に向かうように促し、遠い場合は、透析患者の現在位置から近い別の透析施設を案内する。
【００１５】
（１０）前記透析患者は、海外からの入国し維持透析療法及び旅行を希望する者であって、
前記旅行日程取得部は、入国直前及び出国直後の透析予定、入出国日程を取得し、
前記旅行行程予約部は、前記透析予定及び入出国日程を、前記透析計画と前記旅行案に反映させてもよい。
海外から透析と観光を兼ねて来る場合、入国直前の透析予定、出国直後の透析予定、入出国予定日、入出国地をもとに、透析旅行案（透析計画と前記旅行案）を提案する。これによって、無理のない旅行のスケジュールを建てられる。
【００１６】
本発明によると、人工透析の患者が旅行等により通常人工透析を受けている施設で人工透析を受けられない場合に、別の地域で人工透析の予約を円滑にできるように支援する技術を実現できる。特に、海外からの患者でも、旅行のスケジュールの調整が容易になる技術を提供できる。
【図面の簡単な説明】
【００１７】
【図１】実施形態に係る、透析患者の透析旅行の概要を説明する図である。
【図２】実施形態に係る、予約システムとユーザ端末、病院端末の接続態様を示した図である。
【図３】実施形態に係る、予約システムの概略構成を示すブロック図である。
【図４】実施形態に係る、予約システムの処理例を示すフローチャートである。
【図５】実施形態に係る、予約システムで予約する際にユーザ端末に表示される画面例を示す図である。
【図６】実施形態に係る、旅行日程例を示す図である。
【発明を実施するための形態】
【００１８】
次に、本発明を実施するための形態（以下、単に「実施形態」という）を、図面を参照して具体的に説明する。まず、図１を参照して、予約システム３０を用いて実現するサービスを説明する。国内または海外に在住の透析患者９９は、旅行をするにあたり、図２、３で後述する予約システム３０にアクセスし、透析スケジュール及び旅行スケジュール（以下、「透析旅行スケジュール」という）を立てる。具体的には、入力された予定（透析予定、確定している旅行予定）から、その予定に合致する透析可能施設、宿泊施設、観光地等の案を提示する。
【００１９】
図１に示すように、海外の透析患者９９が、来日にして旅行を行い、旅行中に維持透析療法（人工透析）を受ける。透析患者９９は、旅行直前の７月１日に自国で人工透析を行い、７月２日に入国空港1ａ（福岡空港）に到着し、滞在中に３回の人工透析を行う。具体的には、入国２日目の７月３日に九州（大分県）の第１回目透析施設１１で第１回目の人工透析を、入国４日目の７月６日に関西（京都府）の第２回目透析施設１２で第２回目の人工透析を、入国７日目の７月８日に関東（東京都）の第３回目透析施設１３で第３回目の人工透析を行う。
【００２０】
透析患者９９は、人工透析と人工透析の間に観光・移動を行う。すなわち、九州（大分県）の第１回目の人工透析にあわせて、透析患者９９は観光地（Ａ）８０ａの別府温泉に観光・宿泊する。次に、透析患者９９は、観光地（Ｂ）８０ｂの広島に移動し、観光及び宿泊し、観光地（Ｃ）８０ｃの関西（京都）に移動する。観光地（Ｃ）８０ｃの関西（京都）には、第２回目の人工透析を行う第２回目透析施設１２がある。関西（京都）での人工透析・観光が終わると、観光地（Ｄ）８０ｄの富士山・伊豆地域に移動し観光・宿泊する。そして最後に観光地（Ｅ）８０ｅである関東（東京）に移動し観光・宿泊するとともに、第３回目透析施設１３で当該日本旅行での最後の人工透析である第３回目の人工透析を行う。
【００２１】
図２及び図３を参照して、図１の透析旅行スケジュールをたてる際に用いる予約システム３０について説明する。予約システム３０は、インターネット等のネットワーク１９を介して、ユーザ端末２１、病院端末２２、宿泊施設端末２３、交通機関端末２４と接続する。予約システム３０は、ネットワーク１９上でウェブベースの透析旅行予約サービスを提供している。透析患者９９はスマートフォンやＰＣ等のユーザ端末２１を用いて予約システム３０にアクセスし、透析旅行スケジュールをたてる。ユーザ端末２１は、予約システム３０を利用するための専用アプリケーションを導入してもよい。
【００２２】
透析施設では、設置されているＰＣ等の病院端末２２で予約システム３０にアクセスして、透析患者９９の受け入れ可否の情報（すなわち空き人数）を日時ベースで登録し、また予約状況を確認する。
【００２３】
宿泊施設では、設置されているＰＣ等の宿泊施設端末２３に宿泊可能情報（すなわち空き人数）や提供するサービス等を登録し、予約システム３０を介した予約・照会を受け付ける。交通機関では、設置されているＰＣ等の交通機関端末２４に空席情報等を登録・更新し、予約システム３０を介した予約・照会を受け付ける。なお、宿泊施設や交通機関の予約システムは、旅行会社の予約システムに代替されてもよく、それら態様は特に限定するものではない。
【００２４】
図３は予約システム３０の構成を示すブロック図である。予約システム３０は、統括システム３１と、透析／旅行予約システム５０と、管理システム６０と、ＤＢシステム７０とを備える。統括システム３１は、予約システム３０の構成要素を統括的に制御するとともに、ネットワーク１９を介したユーザ端末２１、病院端末２２、宿泊施設端末２３、交通機関端末２４等との接続・通信を制御する。
【００２５】
透析／旅行予約システム５０は、透析患者９９の希望をもとに旅行・透析スケジュールの提案及びその予約をＷＥＢ上で行う。具体的には、透析施設予約部５１と、施設リスト表示部５２と、旅行日程取得部５３と、透析日程取得部５４と、旅行行程予約部５５とを備える。
【００２６】
透析施設予約部５１は、透析患者９９を受け入れ可能な複数の透析施設の受け入れ状況を提示し、透析患者９９の希望を取りいれ、または提案したものを予約する。また、透析施設予約部５１は、透析患者９９から透析履歴に関する情報（例えば電子カルテ、紹介状等）を取得し、透析施設にその情報を予約確定前に通知し、透析患者９９の状態が事前に透析履歴から受け入れ可能な状態であるか否かを判断してもらう。なお、透析履歴とともに他の疾患に関する治療履歴等の情報（電子カルテや紹介状、自己申告の情報）を併せて送信し、事前に受け入れ可能であるか判断してもらってもよい。透析患者が他の疾患を抱えている場合に、旅行先の透析施設で対応が難しくい場合もある。事前に他の疾患に関する情報を透析施設側に確認してもらうことで、現地で受け入れ不可能とされることを回避できる。受け入れ可能な旨の返答があった場合に、予約確定となりそれまでは仮予約の状態となる。なお、電子カルテのフォーマットを統一することで、多言語への対応が容易になり、透析施設の受け入れ判断が適切に行え、また、透析施設間の情報共有、帰国後の担当医師へのフィードバックを確実に行える。そのため、透析／旅行予約システム５０が、透析患者９９毎に記入する電子カルテをウェブ上で提供し、旅行前後の透析履歴、旅行中の透析施設での透析履歴をそれぞれの透析で担当した医療機関（一般には医師）が記録・更新してもよい。
【００２７】
透析施設予約部５１は、受け入れ不可能との通知を受けた場合に、その透析施設を除外して新たな案を提示する。このとき、透析患者９９の了解が得られている場合には、提案前の時点で透析履歴の情報を探索対象となる他の透析施設へ展開し、予め受け入れ可能かを確認する。
【００２８】
透析施設予約部５１は、予約した透析患者９９が透析施設を利用しなかった場合、透析患者９９に対して現在位置を要求し、現在位置が得られた場合に、その現在位置から所定範囲にある受け入れ可能な透析施設を通知してもよい。ユーザ端末２１に専用アプリケーションが導入されている場合、そのユーザ端末２１で、滞在中のルート案内や、透析スケジュール管理、透析未利用時の新たな透析施設の緊急予約ができる。
【００２９】
例えば、道を迷ったり交通機関の遅延等の原因で、予定した透析施設に辿り着けなかったり、予定を徒過して透析を受けられなかった場合に、早急に新たな透析施設を見つける必要がある。この場合、予定していた透析施設から透析患者９９が透析を受けなかった旨の通知を受けると、透析患者９９のメールアドレスや電話に状況確認の通知がなされる。ユーザ端末２１に専用アプリケーションが導入されていれば、専用アプリケーションが警告を発したり、自動で予約システム３０に位置情報を通知する。予約していた透析施設に近い場合は、早急に向かうように促し、遠い場合は、透析患者９９の現在位置から近い別の透析施設の予約を行い案内する。
【００３０】
施設リスト表示部５２は、透析患者９９を受け入れ可能な透析施設を選択可能に表示する。表示は、地図上にアイコンで示してもよいし、地域毎・都市毎に一覧表で示してもよい。このとき、施設リスト表示部５２は、透析施設とともに観光地を一緒に表示する。特に、地図上にアイコン表示することで、透析施設等と観光地の位置関係が直感的に把握できる。透析患者９９は、画面上で指やマウスを使ってユーザ端末２１の画面上で所望の施設を選択することで、詳細な情報を得ることができる。例えば、ある透析施設を選択すると、その透析施設の名称、概要（医師、透析機器の情報等）、透析を受け入れ可能な日時のカレンダー表示、近隣の観光地が表示される。観光地についても同様に指等で選択すると選択した観光地の詳細な情報が表示される。
【００３１】
旅行日程取得部５３は、透析患者９９の旅行日程を取得する。すなわち、旅行日程取得部５３は、旅行の開始日、終了日、開始地点（例えば入国空港１ａなど）、終了地点（例えば出国空港１ｂなど）、希望の経由地（都市、宿泊地、観光地等）を取得する。
【００３２】
透析日程取得部５４は、透析患者９９の透析スケジュールを取得する。具体的には、透析日程取得部５４は、旅行開始直前の透析予定日、旅行終了後の透析予定日、旅行中に透析指定日があればその日を取得する。
【００３３】
旅行行程予約部５５は、透析患者９９の宿泊予約を行う。家族等が同伴する場合、同伴者の宿泊予約についても受けつける。また、旅行行程予約部５５は、透析患者９９の透析スケジュールをもとに、透析旅行案を提示する。すなわち、入国前後の自国での透析予定及び予定入出国日から得られる旅行期間における推奨透析日程から、推奨透析日程において透析を受け入れ可能な透析施設を抽出し、透析旅行案として提示する。また、旅行行程予約部５５は、透析患者９９の嗜好や家族に関する情報（家族構成、嗜好等）が判明している場合は、それら情報を反映して提案する。例えば、ウィンタースポーツを嗜好するような場合は、スキー場にアクセスしやすい地域の透析施設を含めて提案する。また、子供が多い家族構成の透析患者９９であれば、遊園地等の子供が好む施設にアクセスしやすい透析施設を含めて提案する。
【００３４】
旅行行程予約部５５は、透析患者９９が希望する透析施設や希望透析日があれば、事前の透析スケジュール取得時または提案後にそれらの希望を取得し、透析旅行案に反映する。スケジュール変更を希望する場合は、地図上のアイコン等を選択し、そのアイコンに関連づけられた透析施設や宿泊施設を別の施設に変更したり、日時を変更したりする。さらに、旅行行程予約部５５は、提案する透析旅行案の移動行程をもとに、推奨する観光地を示す機能も有する。
【００３５】
管理システム６０は、患者管理部６１と、病院管理部６２と、旅行情報管理部６３とを備える。患者管理部６１は、透析患者９９の登録・認証処理、透析患者９９の各種情報の入力処理、保存管理を行う。病院管理部６２は、透析施設の登録・認証処理を行う。旅行情報管理部６３は、宿泊施設の予約に関する管理処理、交通機関の予約に関する管理処理、観光地の登録処理等を行う。宿泊施設の予約に関する管理処理として、宿泊施設の登録、予約処理に関する宿泊施設端末２３との処理管理を行う。
【００３６】
ＤＢシステム７０は、患者ＤＢ７１と、病院ＤＢ７２と、宿泊施設ＤＢ７３と、観光ＤＢ７４と、を備える。
【００３７】
患者ＤＢ７１は、透析患者９９の各種情報を登録する。すなわち、名前や生年月日、国籍、住所、電話番号、メールアドレス等のユーザ情報、登録したＩＤ、予約した透析旅行案、利用履歴、電子カルテ等の情報を記録する。透析旅行中は、予約した施設の利用状況をそれら施設から取得して記録する。また、患者ＤＢ７１は、透析患者９９の嗜好に関する情報、家族に関連する情報（家族構成やその嗜好）を記録する。これら嗜好等に関する情報は、上述の旅行行程予約部５５が透析旅行案を作成し提示する際に参照される。
【００３８】
病院ＤＢ７２は、透析患者９９が利用可能な透析施設を登録する。すなわち、透析施設の名称、住所、連絡先、所属医師（経歴や学会等の所属、発表論文、対応可能な言語などを含む）、透析を利用可能な日時、接続に利用する病院端末２２等を登録・管理する。宿泊施設ＤＢ７３は、透析患者９９が利用可能な宿泊施設を登録する。すなわち、宿泊施設の名称、住所、連絡先、宿泊可能日、提供するサービス、接続に利用する宿泊施設端末２３等を登録・管理する。観光ＤＢ７４は、観光地の情報を登録・管理する。
【００３９】
登録した宿泊施設や観光地の情報は病院ＤＢ７２に記録されている透析施設と関連づけられている。透析患者９９が、ユーザ端末２１で予約をする際に、地図上に表示されている所望の透析施設を指定すると、近隣の宿泊施設や観光地がポップアップして表示される。
【００４０】
つぎに、図４〜図６を参照してユーザ端末２１を用いた予約処理例を説明する。図４は予約システム３０による予約処理の概略を示すフローチャートである。図５は、予約時にユーザ端末２１に表示される画面例である。この画面例では、説明の観点から日本語の画面例を示しているが、当然に、他の言語で表示できる。図６は、確定した旅行行程案の一覧例である。
【００４１】
透析旅行予約をする場合、透析患者９９は、ユーザ端末２１を用いて、予約システム３０がＷＥＢ上で提供する予約画面１００（例えば図５参照）にアクセスする。登録済みの透析患者９９は、ＩＤ及びパスワードにより、自身の情報が反映された予約画面１００に移る。初めて利用する透析患者９９は、所定のユーザ情報（名前、年齢、国籍、透析履歴など）を登録し、ＩＤを取得する。なお、ＩＤとしてパスポート番号（またはその一部）が用いられてもよい。
【００４２】
図５の予約画面１００では、ユーザ情報欄１０１において、ユーザ情報として名前「ＸＸＸＸＸＸ」、国籍「フィリピン」、生年月日「１９７０／０１／０１」、ユーザＩＤ「２０１８１２３」が示されている。
【００４３】
透析／旅行予約システム５０は、まず予約画面１００で患者希望取得処理を行う（Ｓ１１）。患者希望取得処理（Ｓ１１）として、旅行希望日程取得処理（Ｓ１１１）、透析日程取得処理（Ｓ１１２）、希望地取得処理（Ｓ１１３）を行う。
【００４４】
旅行希望日程取得処理（Ｓ１１１）では、予約画面１００の基本日程欄１０４において、入国予定日、入国予定地、出国予定日、出国予定地を透析患者９９から取得する。ここでは入国予定日「２０１９／０７／０２」、入国予定地「福岡空港」、出国予定日「２０１９／０７／１０」、出国予定地「成田国際空港」が透析患者９９から入力されている。
【００４５】
透析日程取得処理（Ｓ１１２）では、予約画面１００の旅行前後透析予定日欄１０２で、来日前後の自国での透析予定日を取得する。ここでは、旅行前の透析予定日が「２０１９／０７／０１」、旅行後が「２０１９／０７／１０」が入力されている。また、その旅行前後透析予定日に応じて、希望透析スケジュール欄１０６で、旅行中の透析日の組み合わせがいくつか選択可能に表示される。推奨される透析間隔や受け入れ可能な透析施設の開き情報等から選定される。ここでは、２つの組み合わせ例が示されており、一方は「１回目２０１９／０７／０３、２回目２０１９／０７／０６、３回目２０１９／０７／０８」であり、他方は「１回目２０１９／０７／０４、２回目２０１９／０７／０６、３回目２０１９／０７／０９」となっており、はじめの案が選択されている。
【００４６】
希望地取得処理（Ｓ１１３）では、透析患者９９が希望する透析施設の地域や、観光地や宿泊地等の経由地を取得する。ここでは、希望透析施設「京都」、観光地「別府温泉」が入力されており、宿泊地は「指定なし」となっている。透析患者９９に提示される透析旅行案に、希望透析施設「京都」、観光地「別府温泉」が反映される。
【００４７】
上記の入力を完了後、透析患者９９は検索ボタン１０９を押下することで、透析／旅行予約システム５０は旅行行程調整処理を実行する。なお、電子カルテや紹介状等の透析履歴等の情報（電子ファイルやそのような情報にアクセスするための情報）を有する場合には、透析カルテファイル欄１０３で指定する。
【００４８】
まず、施設リスト表示部５２が、希望透析スケジュールと希望地を拘束条件として、第１〜３回目の透析施設を選定し、さらにそれに併せて宿泊施設を選定し、ユーザ端末２１の予約画面１００に予定提示欄１１０に表示する。ここでは、透析施設／観光地ＭＡＰ指定画面１２０において、地図上に透析施設や宿泊地、観光地等が所定のアイコンで示されている。なお、詳細条件入力検索画面のタブを選択することで、旅行行程リスト（例えば図６に示すようなリスト）が変更可能に表示され、テキストベースの詳細条件を入力できる。
【００４９】
透析施設／観光地ＭＡＰ指定画面１２０では、日本地図上に入国空港1ａのアイコンに吹き出しで入国日「７／２」であり、そこから観光地（Ａ）８０ａの別府温泉に移動しホテル１に７／２及び７／３に宿泊する旨が示されている。さらに、そこの第１回目透析施設１１で透析日「７／３」に第１回目透析が行われることが示されている。
【００５０】
この案では、つぎに観光地（Ｂ）８０ｂの広島に移動しホテル２に７／４に宿泊し、翌日に観光地（Ｃ）８０ｃの京都に移動しホテル３で７／５、７／６の２泊する旨が示されている。さらに、第２回目透析施設１２で透析日「７／６」に第２回目透析が行われることが示されている。
【００５１】
図５のように、透析患者９９が地図上のアイコンをタップすると、そのアイコンに関連付けられている施設等の詳細情報がポップアップ表示される。ここでは、第２回目透析施設１２が選択され、その第２回目透析施設１２の名称、住所等が表示されるとともに、近隣観光地の情報へのリンクが示される。第２回目透析施設１２の名称「×××透析病院」にはリンクが張られており、選択することでより詳細な情報（例えば、施設の写真、所属医師、連絡先、設置している医療機器等の情報）が表示される。
【００５２】
京都での日程終了後、透析患者９９は、つぎの観光地（Ｄ）８０ｄの富士山・熱海地区に移動し、伊豆のホテル４で７／７に一泊する。その後、最終の観光地（Ｅ）８０ｅの東京に移動しホテル５で７／８、７／９に二泊する。透析患者９９は、７／８に第３回目透析施設１３で第３回目透析を行い、７／１０に出国空港１ｂである成田国際空港から出国する。
【００５３】
透析患者９９は、透析施設／観光地ＭＡＰ指定画面１２０を見ながら、希望する観光地があれば、透析施設から吹き出しているアイコン（ここでは透析１、透析２、透析３）を所望の透析施設に移動させることで、透析施設を変更することができる。宿泊施設についても同様にできる。なお、透析施設から所定範囲外の宿泊施設には、変更できないようにしたり、透析施設から著しく離れる旨の警告を発してもよい。
【００５４】
透析患者９９は、表示されている透析旅行案を承認する場合は、右下の「行程確定」ボタン１２９を押下する。これによって、仮予約処理が行われる（Ｓ１３）。具体的には、まず、透析旅行案は、仮予約のステータスとなり、透析患者９９の情報（電子カルテや紹介状等）が、選択された透析施設に送信される。また、宿泊施設に対しても仮予約を通知する。
【００５５】
つづいて、施設可否確認処理が行われ（Ｓ１４）、透析患者９９の情報を送信した透析施設からの受け入れ可否の確認処理がなされる。全透析施設が受け入れ可能である場合（Ｓ１５のＹ）、旅行行程確定処理（Ｓ１６）として、それぞれの透析施設及び宿泊施設に、正式な予約確定を通知する。透析患者９９には、予約が確定した旨及び図６に示すような旅行日程表が送信される。交通機関について予約を希望する場合、確定した旅行日程の予約に基づき、各種交通機関の予約を行ってもよい。
【００５６】
施設可否確認処理（Ｓ１４）において、受け入れ不可能な透析施設が生じた場合（Ｓ１５のＮ）、その透析施設の近隣に代替可能な透析施設があるか否かを判断する（Ｓ１７）。代替施設があれば（Ｓ１７のＹ）、仮予約処理（Ｓ１３）に戻り、以降、代替施設に対して施設可否確認処理（Ｓ１４）を行い、全透析施設が受け入れ可能になると旅行行程確定処理（Ｓ１６）を行う。代替施設がない場合（Ｓ１７のＮ）、その透析施設の地域では受け入れ可能な施設がない旨が透析患者９９に通知されるとともに透析／旅行予約システム５０（患者ＤＢ７１）に記録され、患者希望取得処理（Ｓ１１）に戻る。この場合、受け入れ不可能とされた透析施設の地域を除外した透析旅行案が代替案として提案されることになる。
【００５７】
以上、本実施形態によると、透析患者９９が旅行等により通常人工透析を受けている施設で人工透析を受けられない場合に、別の地域（特に旅行先）での人工透析の予約を円滑できるように支援することができる。また、透析患者がいる家族の場合、従来であれば、家族全員での旅行、特に海外旅行のような長期の旅行が困難であったが、そのような旅行の敷居が大幅に低くなる。
【００５８】
以上、本発明を実施形態をもとに説明した。この実施形態は例示であり、それらの各構成要素の組み合わせにいろいろな変形例が可能なこと、また、そうした変形例も本発明の範囲にあることは当業者に理解されるところである。例えば、上記の実施形態では、透析施設、宿泊施設、交通機関の予約に言及したが、その他に、通訳やレンタカー等のＭａａＳ（Mobility-as-a-Service）の予約、旅行保険の利用等についても適用することができることは当業者にとって当然に想到できる。例えば、保険会社と旅行保険を契約する際に、図６に示した旅行日程表をネットワーク１９経由で保険会社に提供する。このとき電子カルテ（またはその有無）を併せて提供してもよい。保険会社は、透析患者９９の旅行日程表で透析スケジュールも含めて把握できるので、契約の際の条件（保険料や付帯条件など）を適切に算定し、安心して保険の販売が可能となる。例えば、従来であれば、透析患者９９ということで契約を断ったような例であっても、透析施設を確実に利用することを条件に保険契約をし、透析患者９９が予定の透析施設を利用しなかった場合に、それ以降を保険適用外とするといった対応が可能となる。その結果、透析旅行の予約と実質同じタイミングで旅行保険を手配することができ、透析患者９９の手間を省ける。
【符号の説明】
【００５９】
２１  ユーザ端末
２２  病院端末
２３  宿泊施設端末
２４  交通機関端末
３０  予約システム
３１  統括システム
５０  透析／旅行予約システム
５１  透析施設予約部
５２  施設リスト表示部
５３  旅行日程取得部
５４  透析日程取得部
５５  旅行行程予約部
６０  管理システム
６１  患者管理部
６２  病院管理部
６３  宿泊交通管理部
７０  ＤＢシステム
７１  患者ＤＢ
７２  病院ＤＢ
７３  宿泊施設ＤＢ
７４  観光ＤＢ
【図１】
2020177593.tif 000003
【図２】
2020177593.tif 000004
【図３】
2020177593.tif 000005
【図４】
2020177593.tif 000006
【図５】
2020177593.tif 000007
【図６】
2020177593.tif 000008
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地とを拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記施設リスト表示部は、前記透析患者を受け入れ可能な透析施設を表示する際に、観光地を含めて表示することを特徴とする予約システム。
【請求項２】
透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地を拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析計画と前記旅行案を提示する際に、前記旅行行程予約部は、推奨する観光地を提示することを特徴とする予約システム。
【請求項３】
透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地とを拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析施設予約部は、前記透析患者から維持透析療法の履歴に関する情報を取得し、前記透析施設に前記情報を通知し、当該透析施設から前記透析患者を受け入れ可能との通知を受けた場合に予約を確定し、受け入れ不可能との通知を受けた場合に、前記旅行行程予約部は、その透析施設を除外して新たな案を提示することを特徴とする予約システム。
【請求項４】
前記透析施設予約部は、前記透析患者から維持透析療法の前記履歴とともに他の疾患に関する情報を取得し、前記透析施設に前記他の疾患に関する情報を含めて通知することを特徴とする請求項３に記載の予約システム。
【請求項５】
透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地とを拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析患者は、海外からの入国し維持透析療法及び旅行を希望する者であって、
前記旅行日程取得部は、入国直前及び出国直後の透析予定、入出国日程を取得し、
前記旅行行程予約部は、前記透析予定及び入出国日程を、前記透析計画と前記旅行案に反映させることを特徴とする予約システム。
【請求項６】
前記旅行行程予約部は、希望する前記透析施設または希望透析日の指定を受けると、前記指定に合わせて利用可能な透析スケジュールを調整し、調整後の透析計画と旅行案を提示することを特徴とする請求項１から５までのいずれかに記載の予約システム。
【請求項７】
前記施設リスト表示部は、前記透析施設を地図上に表示することを特徴とする請求項１から６のいずれかに記載の予約システム。
【請求項８】
前記旅行日程取得部は、前記透析患者から希望する経由地を取得し、
前記施設リスト表示部は、前記経由地にもとづき前記透析施設を提示することを特徴とする請求項１から７までのいずれかに記載の予約システム。
【請求項９】
前記透析施設予約部は、予約した前記透析患者が透析施設を利用しなかった場合、前記透析患者に対して現在位置を要求し、現在位置が得られた場合に、その現在位置から所定範囲にある受け入れ可能な透析施設を通知することを特徴とする請求項１から８までのいずれかに記載の予約システム。
【請求項１０】
前記旅行日程取得部は前記透析患者の同伴者の宿泊予約を受けつけることを特徴とする請求項１から９までのいずれかに記載の予約システム。
【手続補正２】
【補正対象書類名】明細書
【補正対象項目名】０００６
【補正方法】変更
【補正の内容】
【０００６】
（１）本発明は、透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地とを拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記施設リスト表示部は、前記透析患者を受け入れ可能な透析施設を表示する際に、観光地を含めて表示する。
例えば、当該予約システムは、所定のＷＥＢサイトで透析患者向けの透析旅行のアレンジを支援する。具体的には、人工透析の患者が旅行を希望する場合に、患者（または代理人等）は予約システムによるＷＥＢサイトにアクセスし、旅行の開始日、終了日、開始地点、終了地点、旅行前後の透析予定を入力する。また、旅行期間中に希望する透析回数でもよい。予約システムは、入力された予定から、その予定に合致する透析可能施設、宿泊施設の案を提示する。なお、当該予約システムを利用する者として人工透析の患者を想定するが、その患者の代わりに予約を行う家族や代理人、旅行コーディネータも当然に該当し、以下、それらの者も含めて「透析患者」として説明する。透析可能施設は、一般には透析病院等の医療機関を想定するが、宿泊施設に透析機器を設置して所定の医療従事者が人工透析を行う場合も含む。人工透析が完了すると、行った人工透析の内容がシステムに蓄積され、次の透析施設で参照可能となる。また、透析患者がいる家族は、家族全員での旅行が難しかった。しかし、当該予約システムを用いることで、透析患者を含め家族全員の宿泊予約・変更も容易となり、海外旅行も含め長期の家族旅行への敷居が大幅に低下する。また、患者は、希望する観光地を検討しながら透析施設を選ぶことができる。
【手続補正３】
【補正対象書類名】明細書
【補正対象項目名】０００７
【補正方法】変更
【補正の内容】
【０００７】
（２）本発明は、透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地を拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析計画と前記旅行案を提示する際に、前記旅行行程予約部は、推奨する観光地を提示することを特徴とする。
上述と同様に、当該予約システムを用いることで、透析患者を含め家族全員の宿泊予約・変更も容易となり、海外旅行も含め長期の家族旅行への敷居が大幅に低下する。透析施設を提示する際に、その施設から近い観光地の情報を得ることができ、提案を了承する際の助けとなる。
【手続補正４】
【補正対象書類名】明細書
【補正対象項目名】０００８
【補正方法】変更
【補正の内容】
【０００８】
（３）本発明は、透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析施設予約部は、前記透析患者から維持透析療法の履歴に関する情報を取得し、前記透析施設に前記情報を通知し、当該透析施設から前記透析患者を受け入れ可能との通知を受けた場合に予約を確定し、受け入れ不可能との通知を受けた場合に、前記旅行行程予約部は、その透析施設を除外して新たな案を提示する。
上述と同様に、当該予約システムを用いることで、透析患者を含め家族全員の宿泊予約・変更も容易となり、海外旅行も含め長期の家族旅行への敷居が大幅に低下する。また、透析施設を提示する際に、その施設から近い観光地の情報を得ることができ、提案を了承する際の助けとなる。
【手続補正５】
【補正対象書類名】明細書
【補正対象項目名】０００９
【補正方法】変更
【補正の内容】
【０００９】
（４）前記透析施設予約部は、前記透析患者から維持透析療法の前記履歴とともに他の疾患に関する情報を取得し、前記透析施設に前記他の疾患に関する情報を含めて通知してもよい。
透析患者が他の疾患を抱えている場合に、旅行先の透析施設で対応が難しい場合もある。そこで、事前に他の疾患に関する情報（例えば治療履歴が記載された電子カルテ等）を候補となる透析施設に送り、受け入れ可能の確認を行ってから予約確定とする。
【手続補正６】
【補正対象書類名】明細書
【補正対象項目名】００１０
【補正方法】変更
【補正の内容】
【００１０】
（５）本発明は、透析患者の維持透析療法及び宿泊の予約を受け付ける予約システムであって、
透析施設の情報が、宿泊施設及び／又は観光地の情報と関連づけられて記録されている病院ＤＢと、
前記病院ＤＢから情報を取得して前記透析患者を受け入れ可能な複数の透析施設の受け入れ状況を提示し、受け入れ予約をする透析施設予約部と、
前記透析患者を受け入れ可能な透析施設を選択可能に表示する施設リスト表示部と、
前記透析患者の旅行日程を取得する旅行日程取得部と、
前記透析患者の透析スケジュールを取得する透析日程取得部と、
前記透析患者の宿泊予約を行う旅行行程予約部と、
を有し、
前記施設リスト表示部は、前記透析患者の前記透析日程取得部で所得された希望透析スケジュールと前記旅行日程取得部で所得された希望地とを拘束条件として、複数の透析施設を選定し、さらにそれに併せて宿泊施設を選定して、選定した透析施設及び宿泊施設を含む透析計画と旅行案を提示し、
提示した透析計画及び旅行案が承認された場合に、前記透析施設予約部は、前記透析計画に含まれる透析施設の受け入れ予約を行い、前記旅行行程予約部は前記旅行案に含まれる宿泊施設の予約を行い、
前記透析患者は、海外からの入国し維持透析療法及び旅行を希望する者であって、
前記旅行日程取得部は、入国直前及び出国直後の透析予定、入出国日程を取得し、
前記旅行行程予約部は、前記透析予定及び入出国日程を、前記透析計画と前記旅行案に反映させる。
上述と同様に、当該予約システムを用いることで、透析患者を含め家族全員の宿泊予約・変更も容易となり、海外旅行も含め長期の家族旅行への敷居が大幅に低下する。また、例えば、地図上にアイコンで表示し、患者から希望の透析施設のアイコンを操作してもらい、決定する。指やマウス操作でアイコンが選択されると、具体的な施設名や透析可能時間帯、透析機器等の情報がポップアップ表示される。このとき、地図上に近隣の観光地を示し、患者が所望の観光地をタップ等すると、詳細な観光地の情報が表示されて、観光地と透析施設の情報が同一画面上で確認できる。
【手続補正７】
【補正対象書類名】明細書
【補正対象項目名】００１１
【補正方法】変更
【補正の内容】
【００１１】
（６）前記旅行行程予約部は、希望する前記透析施設または希望透析日の指定を受けると、前記指定に合わせて利用可能な透析スケジュールを調整し、調整後の透析計画と旅行案を提示してもよい。
患者側で希望の透析施設や透析の日時に具体的な希望があれば、その指定を受けてスケジュールの調整を行う。スケジュール変更を希望する場合は、地図上のアイコン等を選択し、そのアイコンに関連づけられた透析施設や宿泊施設を別のものに変更したり、日時を変更したりする。
【手続補正８】
【補正対象書類名】明細書
【補正対象項目名】００１２
【補正方法】変更
【補正の内容】
【００１２】
（７）前記施設リスト表示部は、前記透析施設を地図上に表示してもよい。
例えば、地図上にアイコンで表示し、患者から希望の透析施設のアイコンを操作してもらい、決定する。指やマウス操作でアイコンが選択されると、具体的な施設名や透析可能時間帯、透析機器等の情報がポップアップ表示される。このとき、地図上に近隣の観光地を示し、患者が所望の観光地をタップ等すると、詳細な観光地の情報が表示されて、観光地と透析施設の情報が同一画面上で確認できる。
【手続補正９】
【補正対象書類名】明細書
【補正対象項目名】００１５
【補正方法】変更
【補正の内容】
【００１５】
（１０）前記旅行日程取得部は前記透析患者の同伴者の宿泊予約を受けつけてもよい。